(57)【要約】【課題】データ保安のためのネットワーク内統制システムを提供する。【解決手段】本発明は、図面ファイル、イメージファイル、テキストファイル、動画ファイル及びミディファイルなどの各種の文書を多数の端末または多数のユーザーが共有できるようにするファイルサーバにおいて、前記端末またはユーザーが前記ファイルサーバに接近して文書を閲覧し、必要に応じて、当該文書が外付け装置を用いて外部に搬出するときにこれを管理する保安文書の搬出入制御のための統制システムに関し、管理サーバと、前記管理サーバと通信する第１クライアント端末と第２クライアント端末を含む多数のクライアント端末と、多数の前記第１及び第２クライアント端末が共有する文書を保存するファイルサーバと、からなるシステムにおいて、前記第１及び第２クライアント端末は、第１及び第２クライアント端末と通信可能に脱着される外付け装置のコードを読み込む外付け装置認識モジュールを含み、前記管理サーバは、外付け装置のコードを保存する外付け装置ＤＢと、前記外付け装置認識モジュールから前記第１及び第２クライアント端末に取り付けられた外付け装置のコードを受信すれば、前記コードと関連する情報を前記外付け装置ＤＢから検索し、検索結果、関連情報が存在すれば、ファイルサーバの文書が前記第１及び第２クライアント端末に取り付けられた外付け装置に記録して搬出できるように制御する外付け装置確認モジュールと、を含むものである。【選択図】図３
2010512595.tif 000002
【特許請求の範囲】
【請求項１】
管理サーバと、前記管理サーバと通信する第１クライアント端末と第２クライアント端末を含む多数のクライアント端末と、多数の前記第１及び第２クライアント端末が共有する文書を保存するファイルサーバと、からなるシステムにおいて、
前記第１及び第２クライアント端末は、第１及び第２クライアント端末と通信可能に脱着される外付け装置のコードを読み込む外付け装置認識モジュールを含み、
前記管理サーバは、外付け装置のコードを保存する外付け装置ＤＢと、前記外付け装置認識モジュールから前記第１及び第２クライアント端末に取り付けられた外付け装置のコードを受信すれば、前記コードと関連する情報を前記外付け装置ＤＢから検索し、検索結果関連情報が存在すれば、ファイルサーバの文書が前記第１及び第２クライアント端末に取り付けられた外付け装置に記録して搬出できるように制御する外付け装置確認モジュールと、を含むことを特徴とする保安文書の搬出入制御のための統制システム。
【請求項２】
前記第１クライアント端末は、第１ユーザーが任意文書に対する閲覧（搬出を含む）要請を入力可能な第１ウィンドウを出力し、前記第１ユーザーが前記第１ウィンドウに入力したデータを前記管理サーバに送る第１決裁モジュールを含み、
前記第２クライアント端末は、前記管理サーバから送られてきた前記データを表示する第２ウィンドウを出力し、第２ユーザーが前記第２ウィンドウに入力した前記第１ユーザーの文書閲覧可否に関する決裁データを前記管理サーバに送る第２決裁モジュールを含み、
前記管理サーバは、前記第１決裁モジュールと第２決裁モジュールとの間の前記データ及び決裁データの通信を仲介し、前記決裁データが文書の閲覧許可情報を含んでいる場合に前記任意文書を前記第１クライアント端末に公開する決裁仲介モジュールを含むことを特徴とする請求項１に記載の保安文書の搬出入制御のための統制システム。
【請求項３】
前記第１決裁モジュールが前記第１ウィンドウに入力したデータを前記管理サーバに送るときに前記任意文書をコピーし、このようにコピーされた前記任意文書を前記決裁仲介モジュールが前記第１クライアント端末に公開（搬出を含む）できるように保存するファイルロガーをさらに含むことを特徴とする請求項２に記載の保安文書の搬出入制御のための統制システム。
【請求項４】
前記第１及び第２クライアント端末は、前記ファイルサーバへの接近を試みる第１及び第２ユーザーを確認するファイルサーバ接続モジュールと、前記ファイルサーバ接続モジュールによる確認結果、前記第１及び第２ユーザーがファイルサーバへの接近権限を有している場合にファイルサーバに保存された文書を出力する保安探索ツール駆動モジュールと、を含み、
前記管理サーバは、第１及び第２ユーザーが有する前記ファイルサーバに対する接近可能有無及び接近可能な許容範囲に関する認可情報を保存する認可者情報ＤＢと、前記ファイルサーバ接続モジュールから送られてきた第１及び第２ユーザー情報を確認して前記認可者情報ＤＢに保存された認可情報を検索するユーザー確認モジュールと、前記ユーザー確認モジュールから送られてきた認可情報を通じて前記ファイルサーバから当該第１及び第２ユーザーに対する許容範囲内にある文書を検索してこれを前記保安探索ツール駆動モジュールに送ることにより前記保安探索ツール駆動モジュールが第１及び第２クライアント端末を通じて表示する文書を第１及び第２ユーザーによって制限する文書分類モジュールと、を含むことを特徴とする請求項１から請求項３のいずれかに記載のデータ保安のためのネットワーク内統制システム。
【請求項５】
前記第１及び第２クライアント端末は起動アプリケーションに埋め込まれた認証ファイルを読み込むアプリケーション認証モジュールをさらに含み、
前記管理サーバは、前記アプリケーション認証モジュールから送られてきた前記認証ファイルを確認して前記保安探索ツール駆動モジュールの起動を制御するアプリケーション確認モジュールをさらに含むことを特徴とする請求項４に記載のデータ保安のためのネットワーク内統制システム。
【請求項６】
前記管理サーバは、
前記決裁仲介モジュールが第１ユーザーに特定の文書に対する閲覧を可能にした場合、前記第１ユーザーが前記ファイルサーバへの接近時に前記保安探索ツールにおいて前記特定の文書を公開及び閲覧できるように前記認可者情報ＤＢの情報を更新する更新モジュールをさらに含むことを特徴とする請求項２、請求項３または請求項５に記載のデータ保安のためのネットワーク内統制システム。
【発明の詳細な説明】
【技術分野】
【０００１】
本発明は、図面ファイル、イメージファイル、テキストファイル、動画ファイル及びミディファイルなどの各種の文書を多数の端末または多数のユーザーが共有できるようにするファイルサーバにおいて、前記端末またはユーザーが前記ファイルサーバに接近して文書を閲覧し、必要に応じて、当該文書を外付け装置を用いて外部に搬出するときにこれを管理する保安文書の搬出入制御のための統制システムに関する。
【背景技術】
【０００２】
企業や官公署などにおいて活用する特定の図面ファイル、イメージファイル、テキストファイル、動画ファイル及びミディファイルなどの各種の情報データ（以下、「文書」と称する。）は、企業または官公署と関連する多数のユーザーが接近して活用できなければならないため、多数のクライアント端末がウェブまたはネットワーク方式により接続された環境において前記文書をファイルサーバに保存してこれを共有する。
【０００３】
図１は、ウェブまたはネットワーク環境における管理サーバとファイルサーバ及び端末の通信様子を示すものであり、これを参照して説明する。
【０００４】
多数のユーザーが互いに通信しながら情報を共有するようなシステムは、大きく、ウェブまたはネットワーク方式により互いに通信するクライアント端末３０、３０ ’、３０”と、前記通信を管理しながらクライアント端末３０、３０ ’、３０”と接続する管理サーバ１０と、から構成される。
【０００５】
前記管理サーバ１０はクライアント端末３０、３０ ’、３０”間の通信を制御し、保安を目的に外部との通信を統制し、必要な文書を保存しながらクライアント端末３０、３０ ’、３０”の要求に応じて当該文書を提供することもできる。このような管理サーバ１０は従来周知のシステムの一構成であるため、さらなる説明は省略する。
【０００６】
一方、情報の量が増加し、且つ、これらの管理もまた重要視されるにつれて、情報に対する専門的な管理が求められるに至った。このため、前記管理サーバ１０が有している従来の機能のうち、情報を保存して管理する作業は、ファイル共有サーバ２０（以下、「ファイルサーバ」と称する。）が分担し、管理サーバ１０はクライアント端末３０、３０ ’、３０”間の通信制御及び保安に関する作業だけを行うことになった。
【０００７】
ところが、前記ファイルサーバ２０は、一般的に公開可能な情報の他に、公開できない重要な機密情報を文書として含むことができる。このため、機密情報の無断流出を防ぐために、機密情報が文書として保存されたファイルサーバには認可されたクライアント端末３０、３０ ’、３０”だけを介してしか接近できないようにして、当該クライアント端末３０、３０ ’、３０”においてしか前記文書に対する閲覧ができないようにしている。
【０００８】
ここで、閲覧とは、文書を読み込んだり編集したり搬出する作業を総称するものである。
【０００９】
しかしながら、この種の従来の保安方式は、接近が認可されたクライアント端末３０、３０ ’、３０”を介する場合にはファイルサーバ２０への接近が可能であり、接近後には保存された文書を流出する上で難点がない。また、流出された文書に関する正確な資料や根拠が残らず、流出された文書と関連するユーザーに対する追跡及びその追跡結果に対する信頼度が高くないという問題があった。要するに、従来のファイルサーバの保安方式は、前記ファイルサーバ２０への接近が認可されたユーザーの良心と決定によって当該文書に対する保安有無が決定されるような構造のものであった。
【００１０】
すなわち、管理サーバ１０とファイルサーバ２０及びクライアント端末３０、３０ ’、３０”を含むネットワークの保安がユーザーの意思によって決定されるため、保安に対する信頼度が低くならざるを得なかった。
【発明の概要】
【発明が解決しようとする課題】
【００１１】
そこで、本発明は上記の如き問題を解消するためになされたものであり、その目的は、保安が求められる文書に対する外部搬出を統制して文書の無断流出を防止できるようにする保安文書の搬出入制御のための統制システムを提供するところにある。
【００１２】
また、多数のクライアント端末が共有するファイルサーバ内保存文書への接近及び活用が容易であり、しかも、その保安効率も高くて、共有文書に対するより安全で且つ円滑な利用を可能にする保安文書の搬出入制御のための統制システムを提供するところにある。
【課題を解決するための手段】
【００１３】
上記の目的を達成するために、本発明は、管理サーバと、前記管理サーバと通信する第１クライアント端末と第２クライアント端末を含む多数のクライアント端末と、多数の前記第１及び第２クライアント端末が共有する文書を保存するファイルサーバと、からなるシステムにおいて、前記第１及び第２クライアント端末は、第１及び第２クライアント端末と通信可能に脱着される外付け装置のコードを読み込む外付け装置認識モジュールを含み、前記管理サーバは、外付け装置のコードを保存する外付け装置ＤＢと、前記外付け装置認識モジュールから前記第１及び第２クライアント端末に取り付けられた外付け装置のコードを受信すれば、前記コードと関連する情報を前記外付け装置ＤＢから検索し、検索結果関連情報が存在すれば、ファイルサーバの文書が前記第１及び第２クライアント端末に取り付けられた外付け装置に記録して搬出できるように制御する外付け装置確認モジュールと、を含む保安文書の搬出入制御のための統制システムを提供する。
【発明の効果】
【００１４】
本発明によれば、管理サーバとクライアント端末が互いに通信し、各種の文書を保存したファイルサーバが前記管理サーバ及びクライアント端末と通信しながら前記ファイルサーバに保存された文書を共有しているシステムにおいて、外付け装置を介する保安文書の搬出を徹底的に統制してユーザーの選択と良心に依存していた従来の保安システムの問題を解消するという効果がある。
【００１５】
また、文書に対するユーザーの閲覧権限または許容範囲を上級者の迅速な決裁を通じて変更し、これにより、ユーザーが業務を行う上で必要とする非公開文書を円滑に閲覧することができて、制限された文書環境における徹底した文書保安と共に、融通の利く閲覧も可能になるという効果がある。
【００１６】
加えて、多数のクライアント端末を介するファイルサーバへの接近時に共有する文書に対する接近をユーザー別にその許容範囲に対して差別化して文書保安を細分化するという効果がある。
【００１７】
さらに、ファイルサーバへの接近時に専用保安探索ツールを用いて必要な文書を読み込んだり検索することができて、ユーザーがまるでローカルエリアにおいて作業するような感じを受けることから、より安定的で且つ能率的な文書作業を行うことができるという効果がある。
【００１８】
また、保安をすべき文書に情報ファイルをおいたり、これらを一つの文書ＤＢに集めてユーザー別文書接近を制限及び管理することから、２以上のユーザーが同じ文書を同時に作業するとしても、当該文書に対する衝突や毀損の可能性が低くなり、より安全な文書作業を行うことができるという効果がある。
【図面の簡単な説明】
【００１９】
【図１】管理サーバとファイルサーバ及び端末の通信様子を示す図。
【図２】図１の構成を本発明による統制システムによって具体的に示すブロック図。
【図３】図２に示す本発明による統制システムを用いて文書に接近した後、これを閲覧して搬出する過程を順次に示す統制方法のフローチャート。
【図４】本発明によるファイルサーバ保安探索ツールの選択メニューがＷＩＮＤＯＷＳＴＭのＧＵＩに表示された様子を示すイメージ。
【図５】本発明によるファイルサーバ保安探索ツールの駆動様子を示すＧＵＩイメージ。
【図６】本発明による統制システムの他の実施形態を示すブロック図。
【発明を実施するための形態】
【００２０】
以下、添付図面に基づき、本発明を詳述する。
【００２１】
図２は、図１の構成を本発明による統制システムによって具体的に示すブロック図であり、これを参照して説明する。
【００２２】
本発明による統制システムは、ファイルサーバ２０に保存された文書を保護するためのものであり、クライアント端末３０、３０ ’、３０”を介する前記文書の閲覧はもとより、ＤＶＤ／ＲＷ、ＵＳＢメモリ、ＰＤＡ、ＭＰ３プレーヤ、デジタルカメラ及び携帯電話などの外付け装置５１、５２を介する前記文書の搬出を統制する。
【００２３】
すなわち、ユーザーが自分のクライアント端末３０、３０ ’、３０”を用いてファイルサーバ２０の文書を閲覧した後、必要に応じて、これを外部に搬出する場合に、現ユーザーの搬出権限を確認し、搬出権限がない場合には上級者の決裁を通じて搬出権限を確保して当該文書に対する搬出を行う。
【００２４】
このための本発明による統制システムは、管理サーバ１０及びファイルサーバ２０と、前記管理サーバ１０及びファイルサーバ２０と接続され、且つ、ウェブまたはネットワーク環境下で互いに通信する多数のクライアント端末３０、３０ ’、３０”と、から構成された構造に設置／適用されて、ファイルサーバ２０に接近するクライアント端末３０、３０ ’、３０”を統制し、ファイルサーバ２０に保存された文書に対する閲覧などを管理する一方、前記文書に対する搬出を監督・管理する。
【００２５】
加えて、前記クライアント端末３０、３０ ’、３０”を介するユーザーの接近権限を迅速に変更してユーザーが保安文書に対する閲覧を融通性よく行うようにする。
【００２６】
このために、前記管理サーバ１０は、クライアント端末３０、３０ ’、３０”のユーザーを確認するユーザー確認モジュール１２と、ユーザーの情報を記録する認可者情報ＤＢ１３及びユーザーによって差別的に公開される文書に対する検索及び分類作業を行う文書分類モジュール１１と、を含む。
【００２７】
一方、前記ファイルサーバ２０は、文書を保管する文書ＤＢと、前記文書ＤＢを管理／検索する検索エンジン２１と、を含む。このとき、前記文書ＤＢは、必要に応じて、多数存在していてもよい。
【００２８】
参考までに、前記文書ＤＢは、ハードウェア的に多数のデータベースドライブを設けて第１文書ＤＢ２２、第２文書ＤＢ２３及び第３文書ＤＢ２４などに分けられてもよく、一つの装置ドライブにおいてディスクの領域を分割して第１文書ＤＢ２２、第２文書ＤＢ２３及び第３文書ＤＢ２４などに分けられてもよい。このとき、後者の場合には、仮想ディスクの概念を適用することができるが、その詳細は後述する。
【００２９】
引き続き、前記クライアント端末３０、３０ ’、３０”は、図示の如く、多数存在し、それぞれの端末は、本発明による統制システムの管理方式である保安探索ツールの動作を制御する保安探索ツール駆動モジュール３１と、ファイルサーバ２０への接続認許可有無を確認する手続き遂行装置であるファイルサーバ接続モジュール３２と、を含む。
【００３０】
前記ファイルサーバ２０に保存される多数の文書は、保安する必要がない一般的な公開文書と保安を必要とする保安文書とから構成可能であり、前記保安文書は、ユーザーによってその公開を制限することもできる。すなわち、多数のクライアント端末３０、３０ ’、３０”を介して多数のユーザーがファイルサーバ２０に接近できるとしても、これらのうち特定の文書に対しては全体または部分的にその閲覧が制限されるのである。
【００３１】
一方、ユーザーによる文書閲覧の制限は前記文書の搬出にも影響する。すなわち、本発明による統制システムは、たとえ当該文書を閲覧したり編集できる権限を有するユーザーであるとしても、ファイルサーバ２０にある文書の搬出は統制して干渉して、文書保安をユーザーの良心に任せることなく積極的にこれを統制及び保安することができる。
【００３２】
このために、本発明によるクライアント端末３０、３０ ’、３０”は外付け装置認識モジュール３５を含み、前記管理サーバ１０は外付け装置ＤＢ１７及び外付け装置確認モジュール１８を含む。
【００３３】
上述したように、外付け装置５１、５２は、クライアント端末３０、３０ ’、３０”の直／並列ポートまたはＵＳＢポートと接続されるコネクターを介して当該クライアント端末３０、３０ ’、３０”に接続／通信し、ユーザーの制御によって、クライアント端末３０、３０ ’、３０”に保存された文書またはファイルサーバ２０にある文書などを受け渡されて保存することができる。本発明による統制システムは、前記外付け装置５１、５２に文書が搬出されることを監督して、許可できなかったりユーザー自分の権限を越えるような搬出が行われる場合、これを統制して文書の無分別な搬出及び公開を遮断する。
【００３４】
以下、文書搬出と関連する統制方法と前記統制方法を行うための構成を詳述する。
【００３５】
一方、業務の進行様子と環境及び何らかの理由により保安文書に対する閲覧を許可できなかったユーザーが前記保安文書を閲覧する必要がある。
【００３６】
このために、本発明による統制システムは、ファイルサーバ２０に保存された文書に対するユーザーの許容範囲を迅速で且つ融通性よく調整できるようにする。
【００３７】
本発明による統制システムの技術的思想の理解への一助となるために、ユーザーがクライアント端末３０、３０ ’、３０”を用いてファイルサーバ２０に接近した後、ファイルサーバ２０に保存された文書を閲覧する過程を説明する。
【００３８】
図３は、図２に示す本発明による統制システムを用いて文書に接近した後、これを閲覧する過程を順次に示す統制方法のフローチャートであるが、これを参照して説明する。
【００３９】
Ｓ１０；ファイルサーバ接近段階
ユーザーは、クライアント端末３０、３０ ’、３０”を介してファイルサーバ２０に接近する。このとき、クライアント端末３０、３０ ’、３０”とファイルサーバ２０はウェブにより通信をすることもでき、近距離移動通信網などの制限されたネットワークを介して通信することもできる。
【００４０】
本発明による実施形態は、クライアント端末３０、３０ ’、３０”、管理サーバ１０及びファイルサーバ２０間の通信が外部から接近し難い後者の通信網を利用するものとするが、本発明の技術的思想がこれに限定されることはない。
【００４１】
ユーザーが任意クライアント端末３０、３０ ’、３０”を介してファイルサーバ２０に接近する方式は極めて様々である。しかしながら、本発明による統制システムにおいては、ファイルサーバ２０に接近するためにＷＩＮＤＯＷＳＴＭ探索機の構造を適用する。
【００４２】
すなわち、図４（本発明によるファイルサーバ保安探索ツールの選択メニューがＷＩＮＤＯＷＳＴＭのＧＵＩに表示された様子を示すイメージ）に示すように、本発明による統制システムの「ファイルサーバ保安探索ツール(FILE SERVER SECURITY EXPLORER TOOL)」が「ＷＩＮＤＯＷＳ探索機」に対応して搭載されることにより、クライアント端末３０、３０ ’、３０”を利用するユーザーは、まるで自分のローカルＰＣ（クライアント端末）から文書を検索して開くような感じで作業を行うことができる。
【００４３】
加えて、本発明による保安探索ツールは、「ＷＩＮＤＯＷＳ探索機」のような方式の他にも、「Shell name extention」、「ＡｃｔｉｖｅＸ」などのｄｌｌモジュールを用いても実現可能である。
【００４４】
一方、ファイルサーバ２０への接近がクライアント端末３０、３０ ’、３０”の区分なしにいずれも許容されるわけではない。すなわち、あるクライアント端末３０はファイルサーバ２０に接近可能であり、あるクライアント端末３０ ’、３０”は接近自体が不可能になることもある。これは、接近可能な前記クライアント端末３０に認証ファイルなどを含むファイルサーバ接続モジュール３２を設けることにより可能になる。
【００４５】
前記ファイルサーバ接続モジュール３２が設けられたクライアント端末３０の場合には、図４に示すように、「ファイルサーバ保安探索ツール」のメニューを視認することができ、そうでないクライアント端末３０ ’、３０”の場合には前記メニューを視認することができない。
【００４６】
しかしながら、これは、「ファイルサーバ保安探索ツール」のメニューを視認可能にするかどうかに対する種々の実施形態の一つに過ぎないため、本発明の技術的思想がこれに限定されることはない。（「ファイルサーバ保安探索ツール」が視認されてもファイルサーバに接近できないクライアント端末３０においては起動されないようにもできる。）
【００４７】
Ｓ１２；認可有無の確認段階
ユーザーが「ファイルサーバ保安探索ツール」のメニューを選択すると、前記ファイルサーバ接続モジュール３２は管理サーバ１０と通信して現在駆動するクライアント端末３０、３０ ’、３０”の認証有無を確認する。
【００４８】
この後、当該クライアント端末３０が認証済み端末であると確認されれば、前記ファイルサーバ接続モジュール３２はユーザーの認可有無を確認するためのＩＤ／ＰＡＳＳＷＯＲＤ入力ウィンドウを前記クライアント端末３０に出力する。
【００４９】
しかしながら、本発明はこれに限定されるものではない。すなわち、（１）クライアント端末３０、３０ ’、３０”の認証有無の確認なしに直ちにユーザーの認可有無の確認のためのＩＤ／ＰＡＳＳＷＯＲＤ入力ウィンドウを出力して、前記入力ウィンドウを介して入力されるＩＤ／ＰＡＳＳＷＯＲＤにより現ユーザーの認可有無を確認して保安探索ツールの活性化有無を決定することもでき、（２）ファイルサーバが接続したクライアント端末３０、３０ ’、３０”の認可有無を確認して、認可されたクライアント端末３０、３０ ’、３０”においてはユーザーの確認なしでも保安探索ツールを起動させるような方式により前記保安探索ツールの活性化有無を決定することもできる。
【００５０】
後者の場合、未認可のクライアント端末３０、３０ ’、３０”において保安探索ツールを起動すると、「接近が拒否されました。」などの文句が記載されたウィンドウが出力されて現ユーザーに保安探索ツールへの接近が不可能である旨を報知する。
【００５１】
認証過程は極めて様々な実施形態により行われるが、ここではＩＤとＰＡＳＳＷＯＲＤを利用する方式の実施形態を通じてこの過程の技術的思想を説明する。もちろん、本発明による技術的思想は特許請求範囲から逸脱しない範囲内において種々に変形されて実施可能である。
【００５２】
引き続き、ユーザーが自分のＩＤとＰＡＳＳＷＯＲＤを前記入力ウィンドウに入力すると、ファイルサーバ接続モジュール３２はその確認情報ＩＤ／ＰＡＳＳＷＯＲＤを管理サーバ１０のユーザー確認モジュール１２に送る。
【００５３】
前記ユーザー確認モジュール１２は前記確認情報と一致する情報を認可情報ＤＢ１３から検索する。
【００５４】
前記認可情報ＤＢ１３は、ユーザーの前記確認情報をはじめとする各種の個人情報を含むことができ、ユーザー確認モジュール１２は、前記確認情報を通じて、現在ファイルサーバ２０への接続を試みるユーザーがファイルサーバ２０に接続を許可された者であるかどうかを判断する。
【００５５】
前記ユーザー確認モジュール１２の確認結果、当該ユーザーが認可できなかったユーザーである場合にはファイルサーバ２０への接近自体が拒否され、認可されたユーザーである場合には前記ユーザー確認モジュール１２が前記保安探索ツール駆動モジュール３１に駆動信号を発信する。要するに、前記保安探索ツール駆動モジュール３１は本発明によるファイルサーバ保安探索ツールを活性化させて、図５（本発明によるファイルサーバ保安探索ツールの駆動様子を示すＧＵＩを示すイメージ）に示すように、ユーザーが一般ＷＩＮＤＯＷＳ探索機を利用するようにしてファイルサーバに接近／検索することができる。
【００５６】
開示の実施形態において、前記保安探索ツールを通じてファイルサーバ２０に対するディレクトリーである「ネットワーク保安ドライブ」が確認され、前記「ネットワーク保安ドライブ」内には多数のファイルサーバ(FILE SEVER)Ａ〜Ｃが形成される。前記ファイルサーバＡ〜Ｃは第１、第２及び第３文書ＤＢ２２、２３、２４を示すものであり、ユーザーが誰かによって前記ファイルサーバＡ〜Ｃが全部または一部出力され、これにより、ユーザーは出力されているファイルサーバのみをクリックして当該第１、第２及び第３文書ＤＢ２２、２３、２４に接近することができる。
【００５７】
もちろん、前記ファイルサーバ２０への接近を許可できなかったユーザーは、保安探索ツールを通じて「ネットワーク保安ドライブ」そのものを確認することができないため、ファイルサーバ２０への接近自体が不可能になる。
【００５８】
Ｓ１４；許容範囲の確認段階
上述したように、本発明による統制システムは、たとえファイルサーバ２０への接近を認可されたユーザーであるとしても、ユーザー別に閲覧可能な文書に対する差別をおくことができる。
【００５９】
もちろん、ファイルサーバ２０への接近に成功したユーザーに当該ファイルサーバ２０にある全ての文書を表示し、ユーザーがこれらの文書のうち任意の一つを選択して閲覧を試みる場合、当該文書に対する閲覧可能有無を判断してこれを開いたり拒否するようにもできるが、本発明による実施形態においては、ファイルサーバ保安探索ツールに出力される文書を当初からユーザー別に区分して出力する。
【００６０】
すなわち、任意のユーザーにとって、ファイルサーバ保安探索ツールに出力されている文書はいずれも閲覧可能にするのである。
【００６１】
このために、本発明は、前記管理サーバ１０に文書分類モジュール１１をさらに含む。
【００６２】
前記文書分類モジュール１１は、前記ユーザー確認モジュール１２におけるユーザー確認過程において認可情報ＤＢ１３を検索して当該ユーザーの権限を確認し、この権限に見合う閲覧可能な文書をファイルサーバ２０の検索エンジン２１を用いて第１、第２及び第３文書ＤＢ２２、２３、２４から検索して分類した後、前記保安探索ツール駆動モジュール３１を動作させると共に、分類された文書情報をクライアント端末３０に送る。
【００６３】
上述した文書のユーザー別の分類を通じて多数のユーザーを一つのチームとする同一部署内においてもユーザー別に文書の閲覧許容範囲に差別をおくことができ、ファイルサーバ２０内の文書保安を細かくするという効果がある。
【００６４】
一方、ユーザーが閲覧可能な文書に対する許容範囲を確認し、当該許容範囲内において文書に接近及び閲覧できるようにするために、前記ファイルサーバ２０の貯蔵装置は種々の実施形態により実現可能であり、以下、それぞれの実施形態を開示する。
【００６５】
ファイルサーバ２０には多数の第１、第２及び第３文書ＤＢ２２、２３、２４が形成可能であり、前記第１、第２及び第３文書ＤＢ２２、２３、２４は保安等級によって文書を分類して保存することができる。すなわち、前記文書分類モジュール１１は当該ユーザーの許容範囲を確認した後、当該する文書ＤＢだけを開放するものである。要するに、前記ユーザーのクライアント端末３０には開放された文書ＤＢの文書だけが保安探索ツールを介して公開される。
【００６６】
加えて、文書別に保安等級に関するデータを記録した情報ファイルを生成して当該ユーザーに当該する文書だけを検索し、これを前記ユーザーのクライアント端末３０に公開するようにもできる。
【００６７】
しかしながら、本発明による統制システムにおいて、文書を閲覧権限のあるクライアント端末３０、３０ ’、３０”にのみ公開するような方式は一実施形態に過ぎず、ユーザー及びクライアント端末３０、３０ ’、３０”の区分なしに一旦全ての文書を公開し、その閲覧はユーザー及びクライアント端末３０、３０ ’、３０”の許容範囲によって区分して行われるようにもできる。
【００６８】
上述した実施形態についての詳細な説明は、前記決裁仲介モジュール１５を説明しながら再度行う。
【００６９】
引き続き、ファイルサーバ２０に一つの文書ＤＢだけが設けられて文書ＤＢ別に文書を分類して保存することができない場合、前記文書ＤＢに仮想ディスクの概念を適用して多数の文書ＤＢに分離し、このようにして分離される文書ＤＢは分離された部分において接近許容が統制されて、上述したように多数の第１、第２及び第３文書ＤＢ２２、２３、２４を有するような効果を有する。
【００７０】
しかしながら、ファイルサーバ２０に仮想ディスクの概念を適用することは本発明によるシステムの一構成であるファイルサーバ２０をなすための一実施形態であり、仮想ディスクの概念を適用する方式の他にも、下記の形態がありうる。
【００７１】
ファイルサーバ２０は従来公知のファイルサーバと同じ構造をなし、前記ユーザー確認モジュール１２を通じてクライアント端末３０、３０ ’、３０”またはユーザーを確認した後、認可されたクライアント端末３０、３０ ’、３０”またはユーザーにのみ前記ファイルサーバ２０への接近を許容する。このため、認可・未認可の区分なしにファイルサーバ２０を表わすドライブ表示を当該クライアント端末３０、３０ ’、３０”に出力して、前記ドライブ表示を通じてファイルサーバ２０の存在をユーザーが確認できるようにし、認可されたユーザーが前記ファイルサーバ２０に接近を試みると、これを許容するのに対し、未認可のユーザーが前記ファイルサーバ２０に接近を試みると「接近が拒否されました。」などの文句が記載されたウィンドウを出力して現ユーザーに保安探索ツールへの接近が不可能である旨を報知する。
【００７２】
しかしながら、認可・未認可によってクライアント端末３０、３０ ’、３０”を通じてのドライブ表示を異ならしめて、未認可のユーザーがファイルサーバ２０の存在自体を知らないようにしてもよい。
【００７３】
以下、本発明によるファイルサーバ２０に仮想ディスクが適用された実施形態を説明する。
【００７４】
前記仮想ディスクの概念は、本願出願人が以前に出願して権利を保有している「仮想ディスクを用いた応用プログラム別統制システムとその統制方法（登録番号：１０−０５９６１３５）に詳細に記述されているため、仮想ディスクについての説明は省略し、これを本発明に適用するための説明は後述する。
【００７５】
「仮想ディスクを用いた応用プログラム別接近統制システムとその統制方法（以下、「先行発明」と称する。）において定義する仮想ディスクは、ハードディスク（一般のローカルＰＣにおいてハードディスクは単純な貯蔵記録装置であると理解されるが、クライアントとネットワークまたはインターネットなどにより接続されたサーバにおいてはハードディスクがＤＢと命名されて理解可能である。このため、本発明においては、仮想ディスクの適用空間であるハードディスクが一般ＰＣのハードディスクはもちろん、サーバ内ＤＢまで意味することになる。ここで、前記ＤＢはファイルサーバである。）に設けられて、仮想ディスクに接近するアプリケーションを認可されたアプリケーションモジュールと未認可のアプリケーションモジュールに区分し、その接近を制限する。本発明においては、ファイルサーバに仮想ディスクを設け、前記ファイルサーバに接近するクライアント端末またはユーザーの認可有無を確認してその接近を制限する。
【００７６】
すなわち、前記保安探索ツール駆動モジュール３１がユーザーを確認して保安探索ツールを駆動すると、確認されたユーザーの許容範囲内にある仮想ディスクドライブだけを保安探索ツール内に出力してユーザーが接近できるようにする。もちろん、当該ユーザーの接近許容範囲が当該仮想ディスクドライブを含んでいない場合、保安探索ツールは前記仮想ディスクドライブを出力しない。
【００７７】
例を挙げて簡単に説明すると、前記先行発明において認可されたアプリケーションが作業のために仮想ディスク内にある保安ファイルを読み込む必要がある場合、読み込み（ウィンドウ体制の場合を例示する。）機能を起動して前記保安ファイルを見出す。これは認可されたアプリケーションによる読み込みであるため、前記保安ファイルは別途のドライブ（仮想ディスクがＯＳにおいては別途のドライブとして認識される。）内にあるファイルであり、容易に検索して読み込むことができる。しかしながら、未認可のアプリケーションである場合には、たとえ読み込み機能を行うとしても、当該ドライブが読み込み内に存在しないため、これを読み込むことができなくなる。すなわち、ＯＳは仮想ディスクを別途のドライブではない一つのファイルとしてのみ認識するのである。
【００７８】
このように、本発明によるファイルサーバへの統制システムにおいても、多数の仮想ディスクを設けてこれらをそれぞれ第１、第２及び第３文書ＤＢ２２、２３、２４に分類し、接近を試みるユーザーの許容範囲を確認して当該ユーザーに許可された文書ＤＢだけが保安探索ツールにおいて独立したドライブとして認識されるようにする。
【００７９】
一方、ユーザーは文書ＤＢに接近した後、文書ＤＢに保存された文書を閲覧しながらこれを「名前を付けて保存」することができる。すなわち、前記文書を他の文書ＤＢまたはファイルサーバ２０ではないローカル領域である自分のクライアント端末３０、３０ ’、３０”に保存することもできる。
【００８０】
これもまた、前記仮想ディスクの機能を適用して制限することができる。すなわち、第１文書ＤＢ２２から文書を読み込んで作業をしているユーザーは、第２文書ＤＢ２３及び第３文書ＤＢ２４に保存された文書を読み込む（当該ユーザーが第２及び第３文書に対する接近の許可された場合）ことはできるが、編集または保存はできないようにするのである。もちろん、前記ユーザーはローカル領域である自分のクライアント端末に保存された文書を読み込むことはできるが、これを編集または保存することはできない。
【００８１】
このため、第１文書ＤＢ２２の文書を閉じた後、前記第１文書ＤＢ２２との接続を切断してはじめて、第２及び第３文書ＤＢ２３、２４から他の文書を読み込み、これを編集または保存することができる。
【００８２】
Ｓ１６；文書の閲覧段階
ユーザーは、ファイルサーバ保安探索ツールを介してファイルサーバに接近し、必要な文書を閲覧する。
【００８３】
一旦、前記ファイルサーバ２０への接近が許可されると、前記文書ＤＢに保存された文書に対する当該ユーザーの閲覧は許可される。このとき、前記閲覧には、単に「閲覧」のみ可能なものと、「閲覧」と「編集」の両方が可能なものと、「閲覧」と「編集」及び「搬出」が可能なものなどがある。すなわち、同じ文書に対してもユーザーの許容範囲によってその使用方式が分類可能である。
【００８４】
このために、各文書に対するユーザーの許容範囲もまた前記認可者情報ＤＢ１３に記録され、前記ユーザーへの文書提供時に当該ユーザーの前記記録によって前記文書に情報ファイルを連動させて、ユーザーが自分の許容範囲によって文書を閲覧及び処理できるようにする。
【００８５】
引き続き、ファイルサーバにある文書に多数のユーザーが同時に他のクライアント端末３０、３０ ’、３０”を介して接近を試みる場合、本発明によるファイルサーバへの統制システムは、ユーザーの接近許可有無に対する確認と当該文書の暗復号化過程を文書単位ではなく、これら文書を保存している文書ＤＢ単位で行うため、多数のユーザーが一つの文書に接近するとしても、文書処理に対するユーザー間の衝突とこれによる文書破損の惹起及び暗復号化の遂行に起因する誤作動可能性を極力抑えてより安定したシステムを実現することができる。
【００８６】
すなわち、本発明によるファイルサーバは、文書を暗号化しない一般ファイル形式で保存する代わりに、前記ファイルサーバへの接近過程だけを暗号化することにより、認可されたクライアント端末またはユーザーの接近の試みによりファイルサーバと認可されたクライアントとの間の接近遮断が解除されると、前記認可されたクライアント端末またはユーザーは必要とする文書を閲覧するために別途の手続きまたは過程を経ることなくまるで一般的に文書を閲覧するかのように接近／閲覧することができる。
【００８７】
Ｓ１７；文書搬出の決定段階
ユーザーは、前記文書閲覧段階Ｓ１６後、または文書閲覧以前であるとしても、当該文書に対する搬出有無を決定してこれを行うことができる。文書搬出は様々な方式により行われるが、本発明による統制システムは、クライアント端末３０、３０ ’、３０”と脱着される外付け装置５１、５２を用いた文書搬出入を統制する。
【００８８】
Ｓ３０；搬出状態の決定段階
前記文書搬出の決定段階Ｓ１７においてユーザーがファイルサーバ２０から文書搬出を決定すると、ユーザー確認モジュール１２は、クライアント端末３０、３０ ’、３０”からユーザーが入力した当該信号を受信し、現ユーザーの閲覧権限を認可者情報ＤＢ１３から検索する。
【００８９】
ところが、文書搬出は様々な様子で行われる。すなわち、搬出対象である当該文書を搬出時に暗号化させて指定されたクライアント端末３０、３０ ’、３０”においてのみこれを確認できるようにする様子と、当該文書を平文化させて前記文書を読めるアプリケーションがインストールされたクライアント端末であればどこでも前記文書の内容を確認できるようにする様子である。
【００９０】
一般的に、保安性の観点からは前者の様子が有利であるため、後者の様子は信頼できるユーザーに限って行う必要がある。
【００９１】
要するに、ユーザーは、文書の搬出を決定してこれをクライアント端末３０、３０ ’、３０”に入力すると、前記文書の搬出を暗号化により行うか、それとも、平文化により行うかを決定しなければならない。
【００９２】
Ｓ３１、Ｓ３３；権限有無の確認段階
文書の平文化は暗号化に比べてユーザーの信頼度が担保されている必要がある。このため、文書搬出を平文化により行うことを選択する場合にはこれに見合う資格、すなわち、権限を有さなければならない。
【００９３】
しかしながら、保安探索ツールを駆動し、保安探索ツールを介して出力される文書または文書ＤＢに関する情報を確保するために既にユーザーを確認したため、この権限有無の確認段階Ｓ３１、Ｓ３３は必ず経なければならない過程であるとは限らない。
【００９４】
しかしながら、本発明による統制システムにおいて、外付け装置５１、５２を介する文書の搬出は、上述した保安探索ツールなどのシステムを必ず要求するわけではない。すなわち、文書の搬出入が統制されるファイルサーバ２０にクライアント端末３０、３０ ’、３０”を介して接近した後、必要な文書を検索し、検索された文書を搬出する作業が行われるようなシステムにおいても、本発明による統制システムが適用可能であるためである。
【００９５】
このため、本発明による統制システムにおいては、前記権限有無の確認段階Ｓ３１、Ｓ３３が前記文書搬出の決定段階Ｓ１７後に行われてもよく、前記認可有無の確認段階Ｓ１２において行われてもよい。
【００９６】
Ｓ３２、Ｓ３４；貯蔵装置の確認段階
前記権限有無の確認段階Ｓ３１、Ｓ３３を経てユーザーの権限の度合いが確認されれば、当該ユーザーが文書を搬出可能な権限を有する者であるか、ファイルサーバ２０を通して搬出する権限があれば、当該文書を暗号化によってのみ搬出可能であるか、それとも、平文化によって搬出可能であるかを確認した後、正常の搬出資格を有するユーザーであると確認されれば、当該文書を搬出するための手段である外付け装置５１、５２を確認する。
【００９７】
このために、クライアント端末３０、３０ ’、３０”は、外付け装置認識モジュール３５を含む。前記外付け装置認識モジュール３５は、外付け装置５１、５２を識別するためのコードを読み込んで、現在クライアント端末３０、３０ ’、３０”に接続されている外付け装置５１、５２の種類を確認するとともに、承認された外付け装置５１、５２であるかを確認する。ここで、前記コードは、外付け装置５１、５２のメーカ名と装置名であってもよく、電子署名または認証書などの認証手段であってもよい。このとき、前記認証手段は当該外付け装置５１、５２を本発明による統制システムと連動させるために外付け装置５１、５２内に設けられるものであり、前記外付け装置認識モジュール３５は外付け装置５１、５２がクライアント端末３０、３０ ’、３０”に接続するときに前記認証手段を認識してこれを権利サーバ１０の外付け装置確認モジュール１８に送る。前記外付け装置確認モジュール１８は、前記コードまたは認証手段に関するデータが保存された外付け装置ＤＢ１７を検索して当該外付け装置５１、５２が承認された外付け装置５１、５２であるかどうかを把握する。
【００９８】
前記外付け装置確認モジュール１８の確認結果、当該外付け装置５１、５２が承認された外付け装置５１、５２であると確認されれば、下記の段階を開始する。
【００９９】
Ｓ３５；搬出文書の暗号化段階
搬出される文書を暗号化により保存することが決定されれば、当該文書を搬出する前に暗号化を行う。要するに、ユーザーが当該文書を外付け装置５１、５２に正常に入力するとしても、前記文書は暗号化されて一般アプリケーションではこれを起動することができず、前記暗号を解読して解除可能な端末においてしかこれを起動することができない。
【０１００】
暗号を解読する手段は極めて多岐に亘り、このような手段は保安ソリューション技術を開発する当業界においては周知の技術であるため、これについての説明は省略する。
【０１０１】
これに対し、平文化保存に決定されれば、暗号化ではない元の形式で当該文書を搬出することができるため、別途の暗号化段階を経なくても済む。
【０１０２】
Ｓ３６；搬出文書の保存段階
文書を搬出するときには搬出する文書の原本または写しを臨時または永久的にファイルロガー４０に保存する。これは、前記ファイルサーバ２０に保存された文書の原本を保護し、ユーザーが搬出を選択した文書が搬出できるようにするためである。
【０１０３】
Ｓ３７；文書搬出のための決裁段階
文書を搬出しようとするユーザーは、必要に応じて、上級者に当該文書の搬出を決裁されることができ、このような決裁は下記において詳述する。
【０１０４】
Ｓ３９；文書の搬出段階
上級者の決裁が正常に行われると、前記ファイルロガー４０に保存された文書を外付け装置５１、５２に送って入力する。もちろん、前記文書搬出のための決裁段階Ｓ１７において上級者が搬出を許諾しないような決裁が行われると、それ以上の進行は中断され、ユーザーは当該文書に対する搬出を行うことができなくなる。
【０１０５】
引き続き、前記文書搬出の決定段階Ｓ１７において、文書搬出ではない他の作業に対する進行が決定された場合を説明する。
【０１０６】
Ｓ１８；他の文書の選択・決定段階
上述した過程を通じてファイルサーバ２０に保存された文書を閲覧した後、ユーザーは他の文書の閲覧を試みることができる。これは、保安探索ツールを介して出力された他の文書のアイコンまたは名前などをクリックすることにより簡単に行われる。
【０１０７】
Ｓ２０；文書の選択段階
ユーザーは、クライアント端末３０、３０ ’、３０”を介してファイルサーバ２０に接近し、閲覧する文書を検索する。前記ファイルサーバ２０に接近して文書を検索する手段としては保安探索ツールを利用すると上述したが、後述する決裁仲介モジュール１５を用いた決裁作業は前記保安探索ツールの利用が前提されていることを要求するわけではない。
【０１０８】
しかしながら、以下では、保安探索ツールを用いた統制システムの実施形態を持続的に開示し、本発明の明確な権利範囲は［特許請求の範囲］から明らかになる。
【０１０９】
引き続き、ユーザーは、保安探索ツールを用いてファイルサーバ２０に保存された文書を確認し、当該文書に対する閲覧有無を決定する。ところが、上述した実施形態において、保安探索ツールは当該ユーザーが閲覧可能な文書だけを公開することにより、ユーザーが最初から未認可の文書に接近することを遮断している。ところが、これは本発明の一実施形態に過ぎず、当該ユーザーに認可しない文書もまたその名称またはアイコンなどを公開することもできる。
【０１１０】
このため、後述する段階は、ユーザーに認可されていない文書まで公開されるものとして本発明による統制システムの実施形態を記述する。
【０１１１】
Ｓ２２；文書閲覧範囲の確認段階
ユーザーは、当該文書の閲覧範囲を確認する。すなわち、現ユーザーが選択した文書を読み込むことができるか、編集可能であるか、または搬出可能であるかを確認する。
【０１１２】
さらに詳述すると、ユーザーは、自分の位置と地位または業務の必要性に応じて特定の文書に対する閲覧権限に制限及び差別を受ける。このため、クライアント端末３０、３０ ’、３０”を介して公開されている当該文書のアイコンまたは名前をユーザーがクリックして当該文書に対する自分の閲覧範囲を確認する。
【０１１３】
文書閲覧範囲の確認は様々な方式により行われる。これに対するいくつかの実施形態を後述する。
【０１１４】
（１）ファイルサーバ２０に保存された文書を文書ＤＢの区分なしにいずれも公開してユーザーが文書別に自分の閲覧範囲を確認する。
【０１１５】
（２）ファイルサーバ２０に保存された文書を文書ＤＢ別に区分して、当該ユーザーが接近権限のある文書ＤＢ内文書に対する自分の閲覧範囲を確認する。
【０１１６】
（３）ファイルサーバ２０に保存された文書を文書ＤＢ別に区分して、当該ユーザーが接近権限のある文書ＤＢを確認する。この場合、当該文書ＤＢにある文書はいずれも接近可能である。しかしながら、同じ文書ＤＢにある文書であるとしても、ユーザーによって閲覧権限に差別をおくこともできるということは言うまでもない。
【０１１７】
Ｓ２４；許容範囲拡大のための決裁段階
ユーザーは、文書または文書ＤＢに対する閲覧または接近をしなければならない場合がある。しかしながら、一括して閲覧及び接近に対する制御を受けるファイルサーバにおいて自分の権限以上の文書を閲覧するためにはシステムの全般的な処理が行わざるを得ず、オフライン上においても多くの仕事処理が伴わざるを得ない。
【０１１８】
しかしながら、迅速な処理が求められる業務の場合、担当者であるユーザーが自分の閲覧権限を越えるような文書を閲覧するために多くの時間を割愛しなければならないということは極めて負担のかかることである。
【０１１９】
このため、未認可の文書または文書ＤＢへの閲覧及び接近が必要とされる場合、これを上級者の決裁を通じて当該ユーザーの閲覧権限を一時的または長期的に更新することができる。
【０１２０】
本発明による統制システムは、ユーザーと上級者との間の決裁を行うための決裁モジュールと決裁仲介モジュール１５を含むことができ、加えて、前記認可者情報ＤＢ１３を更新可能な更新モジュール１６をさらに含むことができる。
【０１２１】
前記決裁モジュールは、クライアント端末３０、３０ ’、３０”にそれぞれ設けられて第１、第２及び第３決裁モジュール３４、３４ ’、３４”と命名される。前記第１、第２及び第３決裁モジュール３４、３４ ’、３４”は、ユーザーが決裁を要請し、上級者が要請された決裁を電子署名などの公知の方式を通じて決裁を行うようにガイドするアプリケーションの制御装置であり、クライアント端末３０、３０ ’、３０”の各ユーザー情報を記録して第１、第２及び第３決裁モジュール３４、３４ ’、３４”の駆動時に記録されたユーザー情報確認を通じて現ユーザーの身元を確認したり、ユーザーが保安探索ツールを駆動するために入力したＩＤ／ＰＡＳＳＷＯＲＤにより確認することができる。
【０１２２】
一方、前記第１、第２及び第３決裁モジュール３４、３４ ’、３４”の相互通信及び制御は管理サーバ１０の決裁仲介モジュール１５により行われる。
【０１２３】
本発明による決裁方法を順次に説明する。（決裁段階Ｓ２６を含む）。
【０１２４】
（１）ユーザーは前記許容範囲の確認段階Ｓ２２において確認した文書において自分の閲覧権限を越えるような文書に対する権限拡大のためにこれを上級者に要請することができる。
【０１２５】
このために、前記ユーザーのクライアント端末３０にある第１決裁モジュール３４を駆動する。
【０１２６】
（２）前記第１決裁モジュール３４の駆動はクライアント端末３０に様々な様子により表現可能であるが、本発明による実施形態においてはポップアップウィンドウの方式を利用する。
【０１２７】
すなわち、ユーザーがファイルサーバ２０に接近して必要な文書を確認した結果、当該文書がユーザーの閲覧権限外にある文書であるか、当該文書がユーザーの接近できない文書ＤＢに位置する場合、ユーザーは前記文書または文書ＤＢを閲覧または接近するために前記第１決裁モジュール３４を駆動し、前記第１決裁モジュール３４の駆動はクライアント端末３０に当該ユーザーの許容範囲及び閲覧権限の拡大の度合いを決定及び命令するポップアップウィンドウが出力される。
【０１２８】
（３）ユーザーは、前記ポップアップウィンドウに表示された形式によって閲覧または接近を希望する文書または文書ＤＢを入力し、文書の場合には閲覧の範囲を入力可能なＧＵＩ構成を追加することができる。ここで、閲覧の範囲とは、「閲覧」、「編集」及び「搬出」の可能有無に対するものであり、当該ユーザーが前記文書の「閲覧」だけの権限を有するならば、業務のために「編集」または「搬出」の権限を前記ＧＵＩ構成を介して要請することができる。
【０１２９】
（４）前記決裁仲介モジュール１５は、前記第１決裁モジュール３４から送られてきたユーザーの許容範囲及び閲覧権限の拡大に関するデータを受信し、前記ユーザーの上級者を確認してこれを上級者のクライアント端末３０ ’に送る。
【０１３０】
ここで、上級者とは、ユーザーが閲覧を希望する文書に対する管理者であってもよく、当該ユーザーの地位上の上級者であってもよい。
【０１３１】
（５）前記決裁仲介モジュール１５から送られてきたデータは上級者のクライアント端末３０ ’に設けられた第２決裁モジュール３４ ’に受信され、前記第２決裁モジュール３４ ’はクライアント端末３０ ’においてポップアップウィンドウを表示して前記データの内容を上級者が確認できるように出力する。
【０１３２】
（６）上級者は前記クライアント端末３０ ’に出力されたポップアップウィンドウを介して決裁を要請するユーザーの身元と要請した内容である文書または文書ＤＢに対する閲覧または接近権限の変更を確認し、その有無を決定して決裁する。決裁は電子署名により行われてもよく、信頼できるクライアント端末３０ ’である場合には「はい」または「いいえ」の選択により簡単に決裁を行っても良い。
【０１３３】
（７）一方、当該上級者が最終決裁権者ではない場合、ユーザーの決裁内容を上級者の上級者（以下、「最上級者」と称する。）に決裁を要請することができる。このため、最上級者の決裁のために上級者は自分の決裁を確認した後、結果データを決裁仲介モジュール１５に送り、前記決裁仲介モジュール１５は前記結果データを最上級者のクライアント端末３０”に送る。
【０１３４】
（８）前記クライアント端末３０”に設けられた第３決裁モジュール３４”は、前記結果データを受信し、上述した同じ方式のポップアップウィンドウを表示して最上級者が決裁する内容を確認できるようにする。
【０１３５】
（９）最上級者は、決裁内容を確認後、これを上述した方式などにより決裁し、最終的な結果データを前記決裁仲介モジュール１５に送る。
【０１３６】
上述した決裁過程は、本発明による統制システムの文書搬出に対しても適用される。
【０１３７】
これを詳述すると、ユーザーは、文書を外付け装置５１、５２を介して管理サーバ１０とファイルサーバ２０及びクライアント端末３０、３０ ’、３０”からなるシステム内から搬出しようとし、これに対する許容有無は上級者の決裁により行われる。
【０１３８】
このため、ユーザーは、上級者に上述した決裁過程により搬出（許容範囲の拡大）を目的とする決裁を要請し、このとき、搬出対象である文書の原本または写しは前記ファイルロガー４０に保存され、搬出が確定されると、ファイルロガー４０の文書を対象クライアント端末３０、３０ ’、３０”の外付け装置５１、５２に送る。
【０１３９】
すなわち、ユーザーが文書を搬出するために前記文書搬出のための決裁段階Ｓ３７を行うと、対象文書は前記ファイルロガー４０にコピーされて残され、前記決裁仲介モジュール１５はクライアント端末３０、３０ ’、３０”の第１、第２及び第３決裁モジュール３４、３４ ’、３４”と通信しながら対象文書の確認のためにファイルサーバ２０ではないファイルロガー４０と通信する。要するに、ユーザーは、決裁の対象である当該文書だけが搬出可能であるため、特定の文書に対する決裁後に任意に他の文書を搬出可能であった従来のシステムの問題を解消する。
【０１４０】
Ｓ２８；許容範囲の変更段階
前記決裁仲介モジュール１５が最上級者の最終的な結果データを受信すると、その決定有無によって更新モジュール１６により認可者情報ＤＢ１３内当該ユーザーの情報を一時的にまたは一定期間中に変更／更新する。
【０１４１】
すなわち、当該ユーザーが有する許容範囲及び閲覧権限に対する記録が前記更新モジュール１６により変更されることにより、前記文書分類モジュール１１が更新された認可者情報ＤＢ１３によって前記ユーザーに文書または文書ＤＢに対する閲覧または接近が可能にする。
【０１４２】
図６は、本発明による統制システムの他の実施形態を示すブロック図であり、これを参照して説明する。
【０１４３】
本発明による統制システムはファイルロガー４０をさらに含む。
【０１４４】
前記ファイルロガー４０はユーザーがファイルサーバ２０に接近して文書を閲覧するときにその履歴を残して保管するものであり、どのユーザーがどのクライアント端末３０、３０ ’、３０”を介していつファイルサーバに接近してどの文書ＤＢにおいてどの文書を閲覧したかを記録し、前記第１、第２及び第３決裁モジュール３４、３４ ’、３４”及び決裁仲介モジュール１５を介して文書または文書ＤＢに対するユーザーの接近許容範囲または閲覧権限に対する変更有無と変更内容も記録する。
【０１４５】
また、当該文書の原本を保存するために文書ＤＢに保存された文書がユーザーにより閲覧された後、編集などの過程を通じてその情報が新たに更新されると、更新前の原本文書は前記ファイルロガー４０に保存される。
【０１４６】
前記ファイルロガー４０内の記録は事後監査及び文書の流出時に流出経路を把握する情報となる。
【０１４７】
一方、本発明によるファイルサーバへの統制システムの他の実施形態によれば、ファイルサーバ２０に保存された文書を起動するアプリケーションの認証有無を確認するアプリケーション認証モジュール３３と、前記アプリケーション認証モジュール３３と通信しながら現在接続中のクライアント端末３０、３０ ’、３０”にインストールされたアプリケーションが認可済みのものであるかどうかを確認するアプリケーション確認モジュール１４と、をさらに含む。
【０１４８】
例を挙げて説明すると、たとえ＊．ｄｗｇファイル（文書）を起動可能なＣＡＤプログラム（アプリケーション）がインストールされたクライアント端末３０、３０ ’、３０”が正常に当該ファイルサーバ２０に接近して＊．ｄｗｇファイルを閲覧することができるとしても、前記ＣＡＤプログラムが認証を受けなかった場合には当該＊．ｄｗｇファイルを開くことができなくなる。
【０１４９】
このために、ファイルサーバ２０への接近を許可するアプリケーションに認証ファイルをインストールし、これに見合う認証確認ファイルは前記アプリケーション確認モジュール１４にインストールして、任意のアプリケーション駆動時にファイルサーバ２０への接近が許可されたアプリケーション認可を確認する。前記アプリケーション確認モジュール１４の確認結果、当該アプリケーションがファイルサーバ２０に接近可能であれば、前記保安探索ツール駆動モジュール３１は正常に駆動してユーザーがファイルサーバ２０から文書を検索できるようにする。
【０１５０】
ファイルサーバ２０に保存された文書が文書ＤＢ単位ではない文書別に暗復号化がなされるとしても、認可されたクライアント端末３０と認可されたユーザー及び認可されたアプリケーションが当該文書の起動を試みると、前記文書に対する暗復号化作業はユーザーによる別途の作業なしに行われて、たとえ当該文書に対する２以上のユーザーが同時に接近して起動を試みるとしても、各ユーザーに対する暗復号化により作業が互いに衝突する問題を解消することができる。
【図１】
2010512595.tif 000003
【図２】
2010512595.tif 000004
【図３】
2010512595.tif 000005
【図４】
2010512595.tif 000006
【図５】
2010512595.tif 000007
【図６】
2010512595.tif 000008
【国際調査報告】
2010512595.tif 000009
2010512595.tif 000010
2010512595.tif 000011